(57)【要約】【課題】高周波帯域での使用が可能なノイズフィルタを提供することを目的とする。【解決手段】上下方向に積層された第１〜第４の絶縁体層１１ａ〜１１ｄと、前記第１〜第４の絶縁体層１１ａ〜１１ｄに形成された第１、第２の導体１２，１３および第１、第２の引出電極１４，１５と、前記第１の導体１２と第１の引出電極１４とを接続する第１のバイア電極１６および前記第２の導体１３と第２の導体１５とを接続する第２のバイア電極１７とを備え、前記第１、第２のバイア電極１６，１７をそれぞれ異なる絶縁体層１１ｂ，１１ｄに形成するとともに、第１、第２のバイア電極１６、１７が上面視にて重ならないように構成したものである。【選択図】図１
2007103561.tif 000002
【特許請求の範囲】
【請求項１】
上下方向に積層された複数の絶縁体層と、前記複数の絶縁体層に形成された複数の導体および複数の引出電極と、前記複数の導体のうち一つの導体と前記複数の引出電極のうち一つの引出電極とをそれぞれ接続するように形成されたバイア電極とを備え、前記バイア電極を複数設け、かつこの複数のバイア電極をそれぞれ異なる絶縁体層に形成するとともに、前記複数のバイア電極が上面視にて重ならないように構成したノイズフィルタ。
【発明の詳細な説明】
【技術分野】
【０００１】
本発明は、デジタル機器やＡＶ機器、情報通信端末等の各種電子機器に使用されるノイズフィルタに関するものである。
【背景技術】
【０００２】
従来のこの種のノイズフィルタは、図３に示すように、第１、第２の磁性体層１，２と、前記第１の磁性体層１および第２の磁性体層２の間に設けられた第１〜第５の非磁性体層３ａ〜３ｅとを有し、前記第１〜第５の非磁性体層３ａ〜３ｅに第１、第２のコイル４，５を形成している。
【０００３】
また、前記第１のコイル４は第１の引出電極６と渦巻き状の第１のコイル導体７とにより構成され、かつ第２のコイル５は渦巻き状の第２のコイル導体８と第２の引出電極９とにより構成されている。さらに、前記第１の引出電極６と第１のコイル導体７とは第２の非磁性体層３ｂに形成された第１のバイア電極１０ａを介して接続され、かつ第２のコイル導体８と第２の引出電極９とは第４の非磁性体層３ｄに形成された第２のバイア電極１０ｂを介して接続されている。なお、前記第１の引出電極６は第１の非磁性体層３ａの上面に、かつ第１のコイル導体７は第２の非磁性体層３ｂの上面に、さらに第２のコイル導体８は第３の非磁性体層３ｃの上面に、そして第２の引出電極９は第４の非磁性体層３ｄの上面にそれぞれ設けられているものである。
【０００４】
そして、このノイズフィルタは、第１のコイル導体７と第２のコイル導体８を、第３の非磁性体層３ｃを介して対向させることによって、第１のコイル４と第２のコイル５を磁気結合させてコモンモード成分のインピーダンスを高くし、これにより、コモンモードノイズを除去していた。
【０００５】
なお、この出願の発明に関連する先行技術文献情報としては、例えば、特許文献１が知られている。
【特許文献１】特開２００１−６０５１４号公報
【発明の開示】
【発明が解決しようとする課題】
【０００６】
上記した従来のノイズフィルタにおいては、第１のバイア電極１０ａと第２のバイア電極１０ｂとが上面視にて重なるように設けられているため、これらの間に浮遊容量が発生し、これにより、高周波帯域では差動信号の挿入損失が増加するため、高周波帯域での使用が困難になるという課題を有していた。
【０００７】
本発明は上記従来の課題を解決するもので、高周波帯域での使用が可能なノイズフィルタを提供することを目的とするものである。
【課題を解決するための手段】
【０００８】
上記目的を達成するために本発明は、以下の構成を有するものである。
【０００９】
本発明の請求項１に記載の発明は、上下方向に積層された複数の絶縁体層と、前記複数の絶縁体層に形成された複数の導体および複数の引出電極と、前記複数の導体のうち一つの導体と前記複数の引出電極のうち一つの引出電極とをそれぞれ接続するように形成されたバイア電極とを備え、前記バイア電極を複数設け、かつこの複数のバイア電極をそれぞれ異なる絶縁体層に形成するとともに、前記複数のバイア電極が上面視にて重ならないように構成したもので、この構成によれば、バイア電極同士が互いに対向することはなくなるため、バイア電極間で浮遊容量が発生するのを低減でき、これにより、高周波帯域での差動信号の挿入損失を低下させることができるため、高周波帯域での使用が可能になるという作用効果が得られるものである。
【発明の効果】
【００１０】
以上のように本発明のノイズフィルタは、複数の導体のうち一つの導体と複数の引出電極のうち一つの引出電極とをそれぞれ接続するように形成されたバイア電極を複数設け、かつこの複数のバイア電極をそれぞれ異なる絶縁体層に形成するとともに、前記複数のバイア電極が上面視にて重ならないように構成しているため、バイア電極同士が互いに対向することはなくなり、これにより、バイア電極間で浮遊容量が発生するのを低減できるため、高周波帯域での差動信号の挿入損失を低下させることができ、これにより、高周波帯域での使用が可能になるという優れた効果が得られるものである。
【発明を実施するための最良の形態】
【００１１】
図１は本発明の一実施の形態におけるノイズフィルタの分解斜視図、図２は同ノイズフィルタの斜視図である。
【００１２】
本発明の一実施の形態におけるノイズフィルタは、図１、図２に示すように、第１〜第４の絶縁体層１１ａ〜１１ｄと、前記第１〜第４の絶縁体層１１ａ〜１１ｄに形成された第１、第２の導体１２，１３および第１、第２の引出電極１４，１５と、前記第１の導体１２と第１の引出電極１４を接続するように形成された第１のバイア電極１６と、前記第２の導体１３と第２の引出電極１５を接続するように形成された第２のバイア電極１７とを備えている。
【００１３】
上記構成において、前記第１〜第４の絶縁体層１１ａ〜１１ｄは、上下方向に積層され、下から第１の絶縁体層１１ａ、第２の絶縁体層１１ｂ、第３の絶縁体層１１ｃ、第４の絶縁体層１１ｄの順に形成されている。また、この第１〜第４の絶縁体層１１ａ〜１１ｄはＦｅ2Ｏ3をベースとしたフェライトなどの磁性材料により構成されている。なお、前記第１の導体１２と第２の導体１３との磁気結合をアップさせたり、より高周波帯域で使用できるようにするために、第１の導体１２と第２の導体１３との間に形成される第３の絶縁体層１１ｃは非磁性材料や低誘電率材料で構成してもよい。
【００１４】
前記第１の導体１２は、第２の絶縁体層１１ｂの上面に渦巻き状に銀などの導電材料をめっきすることにより形成されている。
【００１５】
前記第２の導体１３は、第３の絶縁体層１１ｃの上面に渦巻き状に銀などの導電材料をめっきすることにより形成されている。
【００１６】
前記第１の引出電極１４は、第１の絶縁体層１１ａの上面に直線状に銀などの導電材料をめっきすることにより形成されている。
【００１７】
また、前記第１の導体１２と第１の引出電極１４とは、第２の絶縁体層１１ｂに形成された第１のバイア電極１６を介して接続され、これらにより１つのコイルを形成している。
【００１８】
前記第２の引出電極１５は、第４の絶縁体層１１ｄの上面に直線状に銀などの導電材料をめっきすることにより形成されている。
【００１９】
また、前記第２の導体１３と第２の引出電極１５とは、第４の絶縁体層１１ｄに形成された第２のバイア電極１７を介して接続され、これらにより別の１つのコイルを形成している。
【００２０】
そして、前記第１、第２の導体１２，１３の形状は、渦巻き状に限られるものではなく、螺旋状、蛇行状等の他の形状であっても構わない。また、第１、第２の引出電極１４，１５の形状は、直線状に限られるものではなく、渦巻き状等の他の形状であってもよい。さらに、前記第１、第２の導体１２，１３および第１、第２の引出電極１４，１５は、めっきで形成するのではなく、その他の印刷や蒸着等の方法で形成してもよい。
【００２１】
前記第１、第２のバイア電極１６，１７は、前記第２、第４の絶縁体層１１ｂ，１１ｄに形成した貫通孔に銀を充填して構成しているもので、互いに中心軸が一致しないようにして、上面視にて重ならないようになっている。なお、前記第１の導体１２と第２の導体１３は、互いに上面視にて重なるようにしてもよいし、あるいは重ならないようにしてもよい。
【００２２】
また、前記第１の絶縁体層１１ａの下部と第２の引出電極１５の上部には、ダミー絶縁体層１８が所定枚数形成されている。
【００２３】
なお、前記第１〜第４の絶縁体層１１ａ〜１１ｄの枚数およびダミー絶縁体層１８の枚数は、図１に示された枚数に限定されるものではない。
【００２４】
そして、上記した構成部品により、図２に示すようなノイズフィルタの本体部１９が形成され、かつこの本体部１９の両側部には第１〜第４の外部電極２０〜２３が設けられている。この第１〜第４の外部電極２０〜２３は、前記第１、第２の導体１２，１３および第１、第２の引出電極１４，１５の各一端部とそれぞれ接続されるように銀を印刷することによって形成されている。また、前記第１〜第４の外部電極２０〜２３の表面には、ニッケルめっき層、すずめっき層が施されている。
【００２５】
次に、本発明の一実施の形態におけるノイズフィルタの製造方法について説明する。
【００２６】
図１、図２において、まず、それぞれの原材料である磁性材料の粉体および樹脂からなる混合物により、方形の第１〜第４の絶縁体層１１ａ〜１１ｄ、ダミー絶縁体層１８をそれぞれ所定枚数作製する。このとき、第２、第４の絶縁体層１１ｂ，１１ｄの所定箇所に、レーザ、パンチングなどで孔あけ加工をし、この孔に銀を充填して、第１、第２のバイア電極１６，１７を形成する。
【００２７】
次に、所定枚数のダミー絶縁体層１８の上面に第１の絶縁体層１１ａを配置し、その後、その上面に第１の引出電極１４をめっきによって形成する。
【００２８】
次に、第１の引出電極１４の上面に、第１のバイア電極１６が設けられた第２の絶縁体層１１ｂを配置する。このとき、第１の引出電極１４と第１のバイア電極１６とを接続する。
【００２９】
次に、この第２の絶縁体層１１ｂの上面に、第１の導体１２を、めっきによって形成する。このとき、第１の導体１２と第１のバイア電極１６とを接続する。
【００３０】
次に、第１の導体１２の上面に、第３の絶縁体層１１ｃを配置する。その後、その上面に第２の導体１３をめっきによって形成する。
【００３１】
次に、第２の導体１３の上面に、第２のバイア電極１７が設けられた第４の絶縁体層１１ｄを配置する。このとき、第２の導体１３と第２のバイア電極１７とを接続する。
【００３２】
次に、第４の絶縁体層１１ｄの上面に、第２の引出電極１５を、めっきによって形成する。このとき、第２の引出電極１５と第２のバイア電極１７とを接続する。
【００３３】
なお、前記第１、第２の導体１２，１３および第１、第２の引出電極１４，１５の形成方法は、別途用意したベース板（図示せず）に所定パターン形状の導体をめっきによって形成し、その後、この導体を各絶縁体層に転写することにより形成する。
【００３４】
次に、第２の引出電極１５の上面に、所定枚数のダミー絶縁体層１８を配置して、ノイズフィルタの本体部１９を形成する。
【００３５】
次に、本体部１９を所定の温度、時間で焼成する。
【００３６】
次に、本体部１９の両側面に、第１、第２の導体１２，１３および第１、第２の引出電極１４，１５の各一端部とそれぞれ接続されるように銀を印刷することにより、第１〜第４の外部電極２０〜２３を形成する。
【００３７】
最後に、前記第１〜第４の外部電極２０〜２３の表面に、めっきによってニッケルめっき層、すずめっき層を形成する。
【００３８】
上記した本発明の一実施の形態においては、第１の導体１２と第１の引出電極１４とを接続する第１のバイア電極１６と、第２の導体１３と第２の引出電極１５とを接続する第２のバイア電極１７を設け、かつこの第１、第２のバイア電極１６，１７はそれぞれ異なる絶縁体層１１ｂ，１１ｄに形成し、さらにこの第１、第２のバイア電極１６，１７は上面視にて重ならないように構成しているため、バイア電極同士が互いに対向することはなくなり、これにより、第１のバイア電極１６と第２のバイア電極１７間で浮遊容量が発生するのを低減できるため、高周波帯域での差動信号の挿入損失を低下させることができ、これにより、高周波帯域での使用が可能になるという効果が得られるものである。
【００３９】
また、前記バイア電極１６，１７は、比較的面積が大きいため、浮遊容量が発生し易かったが、本発明の一実施の形態のように、上面視にて重ならないように構成することによって、その影響を抑えることができるものである。
【００４０】
さらに、上記したような構成にすることにより、積層時において、絶縁体層のバイア電極が形成された部分と、他の部分との間の応力を分散させることができるため、製品の強度を向上させることができるという効果も期待できるものである。
【００４１】
なお、上記本発明の一実施の形態におけるノイズフィルタにおいては、導体を２個設けたものについて説明したが、３個以上設けてもよいものである。
【００４２】
また、複数の導体を別々の絶縁層に形成するようにしたが、複数の導体の全部または一部を同一の絶縁層に形成するようにしてもよいものである。
【産業上の利用可能性】
【００４３】
本発明に係るノイズフィルタは、高周波帯域での使用が可能であり、デジタル機器やＡＶ機器、情報通信端末等の各種電子機器のノイズ対策として使用されるノイズフィルタにおいて有用となるものである。
【図面の簡単な説明】
【００４４】
【図１】本発明の一実施の形態におけるノイズフィルタの分解斜視図
【図２】同ノイズフィルタの斜視図
【図３】従来のノイズフィルタの分解斜視図
【符号の説明】
【００４５】
１１ａ〜１１ｄ  第１〜第４の絶縁体層
１２  第１の導体
１３  第２の導体
１４  第１の引出電極
１５  第２の引出電極
１６  第１のバイア電極
１７  第２のバイア電極
【図１】
2007103561.tif 000003
【図２】
2007103561.tif 000004
【図３】
2007103561.tif 000005